【事件の表示】
　特願２０１１−　３１８００号「パチンコ遊技機」拒絶査定不服審判事件〔平成２４年　９月１０日出願公開、特開２０１２−１７０４６６号〕について、次のとおり審決する。
【結　論】
　本件審判の請求は、成り立たない。
【理　由】
　第１　手続の経緯
　本願は、平成２３年２月１７日付で出願され、平成２６年１２月２４日付けで拒絶理由通知がなされ、平成２７年２月２３日付けで意見書及び手続補正書が提出され、平成２７年３月２３日付け（発送日：平成２７年３月３１日）で拒絶査定がなされ、これに対して平成２７年６月２２日に拒絶査定不服審判が請求されるとともに手続補正がなされ、平成２８年４月２８日付けで当審による最後の拒絶理由が通知され、これに対して平成２８年６月２９日付けで手続補正（以下、「本件補正」という）がなされたものである。
　第２　平成２８年６月２９日付けの手続補正についての補正却下の決定 
 　 
［補正却下の決定の結論］ 
　本件補正を却下する。 
 　 
［理由］ 
　１．本件補正の概要
　　本件補正は特許請求の範囲の請求項１の記載の補正を含む補正であり、特許請求の範囲の請求項１の記載は、
　補正前（平成２７年６月２２日付け手続補正）の
「【請求項１】
　遊技領域を視認可能にする透明部材を保持するとともに本体枠に対して開閉可能な透明部材保持枠が、前面側に設けられたパチンコ遊技機であって、
　前記透明部材保持枠の前面側には、遊技球を貯留する受け皿部が前記遊技領域の下方に設けられるとともに、前記遊技領域と前記受け皿部とを囲繞するように略連続的に装飾部が設けられ、
　前記装飾部の前壁部が複数の前壁構成部材から構成されて、前記複数の前壁構成部材の全部又は一部が、前記透明部材保持枠に対して前方から開閉又は着脱可能に構成され、
　前記開閉又は着脱可能に構成された前記前壁構成部材で覆われた前記装飾部の内部に、装飾体が着脱可能に配置され、
　前記装飾体は、前記装飾部の内部に設けられたコネクタ部に着脱可能に接続されることにより給電されることを特徴とするパチンコ遊技機。」
から、
　補正後（本件補正である平成２８年６月２９日付け手続補正）の
「【請求項１】
　遊技領域を視認可能にする透明部材を保持するとともに本体枠に対して開閉可能な透明部材保持枠が、前面側に設けられたパチンコ遊技機であって、
　前記透明部材保持枠の前面側には、遊技球を貯留する受け皿部が前記遊技領域の下方に設けられるとともに、前記遊技領域と前記受け皿部とを囲繞するように略連続的に装飾部が設けられ、
　前記装飾部の前壁部が複数の前壁構成部材から構成されて、前記複数の前壁構成部材の全部又は一部が、前記透明部材保持枠に対して前方から開閉又は着脱可能に構成され、
　
前記装飾部は、前方開口部が
る収容部を有して、前記収容部
　前記装飾体は、
前記収容部
　
前記収容部は、前記透明部材保持枠の前方からは取り外し不能とされている
へ補正された（下線は補正箇所を示す）。
　２．補正の適否
　上記補正事項は、「装飾部」の構成を、「前方開口部が開閉又は着脱可能に構成された前記前壁構成部材で覆われる収容部を有」するように限定するとともに、該「収容部の内部」に「装飾体が着脱可能に配置され」るように限定し、さらに、「コネクタ部」を「前記収容部の内部に設けられた」ものに限定し、「前記収容部は、前記透明部材保持枠の前方からは取り外し不能とされている」との構成を限定したものである。 
　また、補正後の請求項１に記載された発明は、補正前の請求項１に記載された発明と、産業上の利用分野及び解決しようとする課題が同一である。 
　よって、本件補正は、特許法第１７条の２第５項第２号に規定する限定的減縮を目的とするものに該当する。
  
　そして、本件補正は新規事項を追加するものではない。  
  
　３．独立特許要件  
　本件補正後の請求項１に記載された発明（以下「本願補正発明」という。）が特許出願の際独立して特許を受けることができるものであるか否か（特許法第１７条の２第６項において準用する同法第１２６条第７項の規定に適合するか）について以下に検討する。  
（１）　特開２００３−０５２９８３号公報（以下、刊行物１という）には以下の記載がある。（下線は合議体が審決にて付した。以下、同じ）
　ア　「【００１１】
【発明の実施の形態】以下、本発明の実施形態について図面を参照しながら具体的に説明する。本実施形態に係る弾球遊技機は、第１種
パチンコ遊技機
複数の板材で矩形に構成された外枠２と、該外枠２の前側に取り付けられる前枠３と、該前枠３の更に前側に取り付けられる装飾カバー４とから
構成されている
【００１２】外枠２は、図２に示すように、遊技機本体１の幅寸法だけ離間して上下方向に平行に配設された２枚の側板２ｃ、２ｄと、これら側板２ｃ、２ｄの上端及び下端同士を連結しつつ左右方向に平行に配設された天板２ａ及び底板２ｂと、遊技機本体１下方に配設された前板２ｅとから主に構成され、天板２ａ及び前板２ｅにおけるそれぞれの左端側には、前枠３を取り付けるための金属製の取付金具２６が固定されている。
【００１３】これら取付金具２６は、夫々前枠３側の金具２７と連結されて当該
前枠３を外枠２に対して開閉自在に支持する
【００１４】
前枠３は
遊技盤５を透視可能なガラス板（透明板）６を装着した窓枠７と
遊技盤５に対して発射するための遊技球を貯留可能な上皿８と、該上皿８の余剰球を受ける下皿９と
とを主に有している。
　イ　「【００２０】ここで、従来であれば上皿８及び下皿９を覆うべき樹脂製のカバーが前枠３にねじ等の締結手段により締結されて一体とされていたのであるが、本実施形態においては、上皿８及び下皿９とは別体構成の装飾カバー４が前枠３に対し開閉自在に取り付けられている。かかる装飾カバー４により、図４の状態の上皿８及び下皿９の前側は、表面が任意の意匠とされた装飾カバー４で覆われることとなる（図５参照）。
【００２１】上記
装飾カバー４は
前枠３の前側表面の略全域（窓枠７、上皿８及び下皿９等含む）を覆うよう構成され
【００２２】この
装飾カバー４は
ガラス板６を介して遊技盤５を視認可能とすべく開口した窓枠用孔４ａと、鍵穴１２を臨ませるべく開口した鍵穴用孔４ｂと、発射ハンドル１１との干渉を避けるべき切欠部４ｃと、上皿８及び下皿９を覆うための膨出部４ｄと、装飾カバー４を前枠３に対して開閉自在とするヒンジ２８
と、該ヒンジ２８を覆うヒンジ用膨出部４ｅとから主に構成されている
　ウ　「【００３１】上記実施形態によれば、
前枠３の前側表面に当該前枠３とは別体の装飾カバー４を設けたので、該装飾カバー４を他の意匠のものに交換すれば、遊技盤５やその他の構成部品はそのままで、前枠３の意匠のみを変更し、遊技者に対し常に新鮮な視覚効果を与えることができる。
　エ　「【００３８】また更に、装飾カバーにランプ等の発光手段やランプカバーを設けるようにしてもよい。例えば、図１２に示すように
、装飾カバー４”の上端側に大当たり状態の際に発光するランプ３６ａを配設するとともに、該ランプ３６ａを覆うための光透過性材料から成るランプカバー３６ｂを装飾カバー４”の表面に膨出形成してもよい
【００３９】尚、
ランプ３６ａを前枠３側に形成しておき、該ランプ３６ａの光を透過させるべきランプカバー３６ｂのみを装飾カバー４”に形成するようにしてもよく
　オ　上記アの段落【００１４】の「
前枠３は
遊技盤５を透視可能なガラス板（透明板）６を装着した窓枠７と
遊技盤５に対して発射するための遊技球を貯留可能な上皿８と、該上皿８の余剰球を受ける下皿９と・・・を主に有している」
前枠３を外枠２に対して開閉自在に支持する
遊技盤５を透視可能なガラス板（透明板）６を装着した窓枠７と、窓枠７の下方に配置され遊技盤５に対して発射するための遊技球を貯留可能な上皿８と、該上皿８の余剰球を受ける下皿９を有し、外枠２の前側に取り付けられ外枠２に対して開閉自在に支持される前枠３
　カ　上記アの段落【００１１】の「
パチンコ機
外枠２と、該外枠２の前側に取り付けられる前枠３と、該前枠３の更に前側に取り付けられる装飾カバー４とから
構成されている
装飾カバー４を前枠３に対して開閉自在とする
前枠３の更に前面に取り付けられ、前枠３に対して開閉自在に取り付けられている装飾カバー４
　キ　上記イの段落【００２２】の「
装飾カバー４は
ガラス板６を介して遊技盤５を視認可能とすべく開口した窓枠用孔４ａと、鍵穴１２を臨ませるべく開口した鍵穴用孔４ｂと、発射ハンドル１１との干渉を避けるべき切欠部４ｃと、上皿８及び下皿９を覆うための膨出部４ｄと、装飾カバー４を前枠３に対して開閉自在とするヒンジ２８
と、該ヒンジ２８を覆うヒンジ用膨出部４ｅとから主に構成されている」と
「装飾カバー４は、
前枠３の前側表面の略全域（窓枠７、上皿８及び下皿９等含む）を覆うよう構成され
　ク　上記ウの記載から、装飾カバー４を交換し、遊技盤５やその他の構成部品はそのままで、前枠３の意匠のみを変更することができるものといえるから、装飾カバー４のみを前枠３に対して前方から着脱可能に構成されているものと認められる。
　ケ　上記エの段落【００３８】の「
装飾カバー４”の上端側に大当たり状態の際に発光するランプ３６ａを配設するとともに、該ランプ３６ａを覆うための光透過性材料から成るランプカバー３６ｂを装飾カバー４”の表面に膨出形成してもよい
「ランプ３６ａを前枠３側に形成しておき、該ランプ３６ａの光を透過させるべきランプカバー３６ｂのみを装飾カバー４”に形成するようにしてもよく
　上記ア〜エの記載事項、上記オ〜ケの認定事項から、刊行物１には、
「遊技盤５を透視可能なガラス板（透明板）６を装着した窓枠７と、窓枠７の下方に配置され遊技盤５に対して発射するための遊技球を貯留可能な上皿８と、該上皿８の余剰球を受ける下皿９を有し、外枠２の前側に取り付けられ外枠２に対して開閉自在に支持され、上端側に大当たり状態の際に発光するランプ３６ａ及びランプ３６ａに給電するための部材を形成した前枠３と、
　前枠３の更に前面に取り付けられ、前枠３に対して開閉自在に取り付けられている装飾カバー４を備え、装飾カバー４のみを着脱可能であるパチンコ遊技機であって、
　装飾カバー４は、ガラス板６を介して遊技盤５を視認可能とすべく開口した窓枠用孔４ａと、鍵穴１２を臨ませるべく開口した鍵穴用孔４ｂと、発射ハンドル１１との干渉を避けるべき切欠部４ｃと、上皿８及び下皿９を覆うための膨出部４ｄと、装飾カバー４を前枠３に対して開閉自在とするヒンジ２８と、該ヒンジ２８を覆うヒンジ用膨出部４ｅとから主に構成されており、前枠３の前面表面の略全域（窓枠７、上皿８及び下皿９等含む）を覆うよう構成され、かつ上端側にランプ３６ａ及びランプ３６ａに給電する部材を覆う光透過性材料からなるランプカバー３６ｂが形成されている装飾カバー４が設けられた、 
　パチンコ遊技機」 
  
という発明（以下、刊行物１の発明という）が開示されていると認める。 
  
　（２）また、特開２００６−２９６５８６号公報（以下、刊行物２という）には以下の記載がある。 
  
　ア　「【技術分野】 
　【０００１】 
　本発明は、
パチンコ機等の遊技機に関し
ガラス板を支持する枠体に装飾ユニットを取り付けるようにした遊技機
 ・・・ 
　【発明が解決しようとする課題】 
　【０００５】 
 ところで、上述のような
パチンコ機においては
給電により照明状態が変化する演出ランプ
が配設されている
 【０００６】 
 しかしながら、全面液晶と呼ばれる図柄表示装置が搭載された遊技機にあっては、図柄表示装置が遊技領域のほぼ全面、つまり図柄表示装置が遊技盤のかなりの面積を占めるため、
遊技盤側には、演出ユニットを有効に配設する空間的なゆとりがない
 【０００７】 
 そこで、本発明は、
演出ユニット等の装飾ユニットをガラス枠に取り付け得るように構成し
遊技機
  
　イ　「【００１９】 
 ＜パチンコ機１の詳細な構成＞ 
 図１に示すように、
本パチンコ機１は
前扉３とを有しており、前扉３の前面には、遊技領域７ａの前面を覆うガラス板（透明ガラス）ｇを支持するガラス枠５が開閉可能に取り付けられている
  
　ウ　「【００２９】 
 ＜演出ユニット１０及び演出ユニット着脱部２６の詳細な構成＞ 
 ついで、図１ないし図３を参照して、本発明の特徴である演出ユニット（装飾ユニット）１０及び演出ユニット着脱部（装飾ユニット着脱部）２６について説明する。すなわち、図１に示すように、
ガラス枠５の上部中央には、装飾ユニット１０を着脱可能に構成された演出ユニット着脱部２６が配設されており
　【００３０】 
 
演出ユニット着脱部２６は
演出ユニット１０の台座部５４
を挿入可能に凹状に形成された挿入部２６ｂを備えている
挿入部２６ｂの奥側には
演出ユニット１０を遊技機本体側に電気的且つ機械的に接続するコネクタソケット（接続部）５３が設けられている。
  
　エ　「【００５４】 
　第２演出制御手段（演出制御手段）６０は、図柄表示装置１１の図柄に変動表示に対応させて演出ユニット１０の態様を変化させる演出制御手段を構成しており
遊技者の視覚に訴える演出表示を行う。
  
　オ　上記アの記載から、パチンコ機等の遊技機において、給電により照明状態が変化する演出ランプや態様が変化するフィギュアモデルに例示される演出ユニット等の装飾ユニットを遊技盤以外の部分に取り付けることで演出効果を上げることができ、演出ユニット等の装飾ユニットをガラス枠に取り付け得るよう構成すること、がいえる。 
　カ　上記イ、ウの記載から、パチンコ機１は、遊技領域７ａの前面を覆うガラス板（透明ガラス）gを支持するガラス枠５の上部中央に配設される演出ユニット着脱部２６にはコネクタソケット５３が設けられており、該コネクタソケット５３を介して演出ユニット１０を着脱可能に接続し、演出ユニット１０に対して給電することがいえる。 
　キ　上記エの記載から、演出ユニット１０は遊技者の視覚に訴える演出表示を行うことがいえる。 
　ク　刊行物２の図１、２、３の記載から、演出ユニット１０は前面から視認可能なように、演出ユニット着脱部２６の内部に接続され、コネクタソケット５３は演出ユニット着脱部２６の内部前面に配置されているといえるから、演出ユニット着脱部２６の前面は開口されているものといえる。
　してみると、刊行物２には以下の事項（以下、刊行物２記載の事項という）が開示されているものと認める。 
  
「パチンコ機１の遊技領域７ａの前面を覆う透明ガラスgを支持するガラス枠５に配設され、遊技者の視覚に訴える演出表示を行うための演出ユニット１０を着脱可能に内部に接続し、演出ユニット１０に対して給電するコネクタソケット５３を内部に設け、前面が開口されている演出ユニット着脱部２６。」 
  
　（３）本願補正発明と刊行物１の発明との対比
　本願補正発明と刊行物１の発明とを対比する。 
  
　ア　刊行物１の発明の「遊技盤５を透視可能なガラス板（透明板）６を装着した窓枠７」は、窓枠７を有する前枠３が外枠２の前側に取り付けられており、外枠２に対して開閉自在に支持されることから、窓枠７も外枠２に対して開閉自在に支持されているということができるから、 
　本願補正発明の「パチンコ遊技機の前面側に設けられた」「遊技領域を視認可能にする透明部材を保持するとともに本体枠に対して開閉可能な透明部材保持枠」に相当する。 
  
　イ　刊行物１の発明の「装飾カバー４」は、
　窓枠７を有する前枠３の前方に取り付けられ前枠３に対して開閉自在であって着脱可能に取り付けられていることから、窓枠７に対しても開閉自在であって着脱可能に取り付けられているといえ、
　また、ガラス板６を介して遊技盤５を視認可能とすべく開口した窓枠用孔４ａと、遊技盤を視認可能なガラス板６を装着した窓枠７の下方に配置され遊技球を貯留する上皿８を覆うための膨出部４ｄを含み、前枠３の前面表面の略全域を覆うよう構成されていることから、
　本願補正発明の「透明部材保持枠に対して前方から開閉又は着脱可能に構成され」、「透明部材保持枠の前面側に、遊技球を貯留する受け皿部が前記遊技領域の下方に設けられるとともに、前記遊技領域と前記受け皿部とを囲繞するように略連続的に設けられ」た「装飾部の前壁部」に相当する。 
　そして、刊行物１の発明の「装飾カバー４」は本願補正発明の「装飾部の前壁部」に相当することから、刊行物１の発明の「装飾カバー４」及び「装飾カバー４に覆われている部分」が本件補正発明の「装飾部」に対応する。
　以上のことから、本願補正発明と刊行物１の発明は以下の点で一致する。
　（一致点） 
  
　遊技領域を視認可能にする透明部材を保持するとともに本体枠に対して開閉可能な透明部材保持枠が、前面側に設けられたパチンコ遊技機であって、　前記透明部材保持枠の前面側には、遊技球を貯留する受け皿部が前記遊技領域の下方に設けられるとともに、前記遊技領域と前記受け皿部とを囲繞するように略連続的に装飾部が設けられ、 
　前記装飾部の前壁部が前記透明部材保持枠に対して前方から開閉又は着脱可能に構成されることを特徴とするパチンコ遊技機。 
  
　一方、本願補正発明と刊行物１の発明は以下の点で相違する。 
  
　（相違点１） 
　本願補正発明の装飾部の前壁部は複数の前壁構成部材から構成されているのに対して、 
　刊行物１の発明は、装飾カバー４は複数の前壁構成部材から構成されるかどうかは不明な点。 
  
　（相違点２） 
　本願補正発明の装飾部は、
　（相違点２−１）「前方開口部が開閉又は着脱可能に構成された前壁構成部材で覆われる収容部を有して、前記収容部の内部に、装飾体が着脱可能に配置され、前記装飾体は、前記収容部の内部に設けられたコネクタ部に着脱可能に接続されることにより給電され」るものであり、
　（相違点２−２）「前記収容部は、前記透明部材保持枠の前方からは取り外し不能とされている」のに対して、 
　刊行物１の発明の装飾カバー４及び装飾カバー４に覆われた部分は、上記装飾体が着脱可能に配置される上記収容部を有するものではない点。
  
　（４）相違点についての判断 
　上記相違点について検討する。 
  
　（ア）　相違点１について 
　遊技機の前面に装着される装飾を行う部分を複数の部材から構成することは遊技機における周知技術（例えば、特開２００６−１４９８０号公報（以下、刊行物３という）の段落【００３７】の「［電飾装置について］
　図６に示すように、扉本体フレーム６１の前面には、その開口窓６２の周縁部の左右両側部に沿って左右の両電飾装置１８０が装着されている。これら左右の両電飾装置１８０は、遊技の進行に同調して発光装飾（発光演出）を行うためのものであり、遊技機の制御装置（例えば、ランプ制御回路を有する制御基板）によって点滅制御されるようになっている。
　左右の両電飾装置１８０は、各１つにユニット化されている。そして、左右の両電飾装置１８０は、扉本体フレーム６１の前方又は／及び後方から締め付けられる複数のビス１７８、１７９によって、扉本体フレーム６１の前面装着されている。」の記載、及び図６において左右２つの電飾装置１８０が扉本体フレームの前面に装着されていることを参照。以下周知技術１という）にすぎず、
　刊行物１の発明の装飾カバー４の前壁部を複数の部材から構成することは当業者にとって格別の困難性を要するものではない。 
　（イ−１）　相違点２−１について
　刊行物２記載の事項から 「パチンコ機１の遊技領域７ａの前面を覆う透明ガラスgを支持するガラス枠５に配設され、遊技者の視覚に訴える演出表示を行うための演出ユニット１０を着脱可能に内部に接続し、演出ユニット１０に対して給電するコネクタソケット５３を内部に設け、前面が開口されている演出ユニット着脱部２６」について、該「演出ユニット着脱部」は「演出ユニット」「に給電するためのコネクタソケット」「を内部に設け」「前面が開口されている」こと、「演出ユニットを着脱可能に内部に接続する」ことがいえる。
　そうすると、
・刊行物２記載の事項における「演出ユニット１０」は上記相違点２−１に係る本願補正発明の「装飾体」に対応し、
・刊行物２記載の事項における「演出ユニット着脱部２６」の「前面が開口されている」ことは、相違点２−１に係る本願補正発明の「収容部」が「前方開口部」を有することに対応しているから、
刊行物２記載の事項における「演出ユニット着脱部２６」は、上記相違点２−１に係る本願補正発明の「前方開口部が」備えられ、「装飾体が着脱可能に配置され、前記装飾体は、内部に設けられたコネクタ部に着脱可能に接続されることにより給電される」「収容部」に対応する。
　そして、刊行物１の発明におけるランプ３６ａ及びランプ３６ａに給電するための部材と、刊行物２記載の事項における演出ユニット１０が接続された演出ユニット着脱部２６とは、いずれも遊技領域を視認可能とする部材を支持する枠に対して設けられ、演出効果を高めるために設けられたという点で共通することから、刊行物１の発明における、遊技領域を視認可能とする部材であるガラス板（透明板）６を装着した窓枠７を含む前枠３の上部のランプ３６ａであって光透過性材料からなるランプカバー３６ｂで覆われているランプ３６ａ、及びランプ３６ａに給電するための部材に替えて、刊行物２記載の事項における演出ユニット１０が接続された演出ユニット着脱部２６を適用することは、当業者にとって格別の創作力を要するものではない。
　そして、その際に、演出ユニット着脱部２６は光透過性ランプカバー３６ｂが形成されている開閉又は着脱可能な装飾カバー４で覆われることになり、該演出ユニット着脱部２６の前方開口部は、「開閉又は着脱可能に構成された前壁構成部材で覆われる」といえる。また、ランプ３６ａ及びランプ３６ａに給電する部材はランプカバー３６ｂで覆われるように形成されている以上、これらに替えて適用される演出ユニット着脱部２６もまたランプカバー３６ｂで覆われる構成となる。
　以上のとおり、刊行物１記載の発明において刊行物２記載の事項を適用して、上記相違点２−１に係る本願発明の構成とすることは当業者が容易になしえたものである。
　（イ−２）　相違点２−２について
　当初から着脱可能として構成する部材以外は取り付け後には簡単には取り外しできないように構成することは、遊技機に限らず機器の設計において通常行われることにすぎず、刊行物１記載の発明におけるランプ３６ａ及びランプ３６ａに給電するための部材に替えて、刊行物２記載の事項における演出ユニット１０が接続された演出ユニット着脱部２６を適用するに際して、演出ユニット着脱部２６は前方からは取り外し不能となるように構成することは当業者が適宜なし得る設計的事項にすぎないものである。
　
　（イ−３）　相違点２についてのまとめ
　上記（イ−１）（イ−２）において検討したとおり、刊行物１記載の発明において刊行物２記載の事項を適用することで、相違点２−１、相違点２−２に係る本願補正発明の構成とすることは当業者が容易になし得たものである。
　（５）請求人の主張について
　審判請求人は、平成２８年６月２９日付け意見書の４．引用文献との対比において、次の主張をしている。
「引用文献１の装飾カバー４の前壁部は、複数の前壁構成部材から構成されるものではない（相違点１）。また、装飾カバー４は、装飾体が配置される収容部を備えるものでもない（相違点２）。
　上記相違点１につき、審判官殿は、「遊技機の前面に装着される装飾部を複数の部材から構成することは遊技機における周知技術（以下周知技術１という）（例えば、特開２００６−１４９８０号公報（以下「引用文献３」という）の段落【００３７】、図６〜図８参照）にすぎず、引用文献１の装飾カバーの前壁部を複数の部材から構成することは当業者にとって格別の困難性を要するものではない。」と認定されている。
　しかしながら、引用文献３の装飾体１８３を含む左右の電飾装置１８０は、左右に離間して配置されるものであり、略連続的に連なるものではない（図２、図６参照）。引用文献３の電飾装置のように左右に離間した装飾部を、別々の部材から構成することは、当然であり、周知であるといえるが、略連続的に連なった装飾部の前壁部を、複数の前壁構成部材から構成することは、周知であるとはいえない。
　相違点２につき、審判官殿は、「引用発明２は、遊技機において、遊技領域の前面を覆う透明ガラスを支持するガラス枠に、遊技者の視覚に訴える演出表示を行う演出ユニット（本願発明１の装飾体に相当する）を着脱可能に接続し、演出ユニットに対して給電するコネクタソケット（本願発明１のコネクタ部に相当する）を設けた演出ユニット着脱部を配設するものである。」とした上で、「引用発明１における窓枠を含む前枠３の上部のランプ３６ａに替えて、…演出ユニット着脱部を配設し、演出ユニット着脱部を光透過性材料からなる部位で覆う装飾部を内部に設ける構成とすることは当業者にとって格別の困難性を要するものではない。」と認定されている。
　しかしながら、演出ユニット着脱部の前方開口部が何で覆われているかについては、引用文献２には、何ら記載されていない。演出ユニット着脱部の前方開口部を覆う「蓋」については何らの説明もなく、演出ユニット１０は前方から演出ユニット着脱部２６の挿入部２６ｂに挿入されること（段落００３０、図１〜３参照）、及び、「コネクタプラグ５５とコネクタソケット５３とを係合又は離反させるだけで、演出ユニット１０を演出ユニット着脱部２６に簡単且つ確実に装着又は取り外すことができる。」（段落００６５参照）と記載されていることからすれば、演出ユニット着脱部の前方開口部を覆う「蓋」はないと考えるのが自然である。
　すなわち、引用文献２には、装飾部の前壁構成部材がその蓋を兼ねる収容部内に、装飾体を着脱可能に配置することについては、何ら開示も示唆もされていない。
　しかも、演出ユニット着脱部がどのようにガラス枠２６に取り付けられているかについても、引用文献２には何ら記載されてない。すなわち、今回の補正で追加された「収容部が前方から取り外し不能である」点については、引用文献２には何らの開示も示唆もされていない。」
　そこで、上記主張について検討するに、
　ア　遊技機の前面に装着される装飾部を複数の部材から構成することは遊技機の技術分野における周知技術であり、このような周知技術は、装飾部が遊技機の前面のうちのどの部分を覆うかによらず、遊技機の前面に装着される装飾部に広く適用できるものであって、本願発明の遊技領域と受け皿部とを囲繞するように略連続的に設けられた装飾部の前壁部に相当する構成である刊行物１記載の発明の装飾カバー４に適用することはできないとの阻害要因は存在しない。
　イ　上記（４）の（イ−１）相違点２−１についての項で示したとおり、刊行物１記載の発明のランプ３６ａ及びランプ３６ａに給電するための部材に替えて、刊行物２記載の事項の演出ユニット着脱部を適用したものにおいては、演出ユニット着脱部はランプカバー３６ｂが形成されている装飾カバー４からなる着脱可能な前壁構成部材で覆われるから、装飾カバー４からなる着脱可能な前壁構成部材が演出ユニット着脱部を覆う「蓋」となることは明らかである。
　ウ　上記（４）の（イ−２）相違点２−２についての項で示したとおり、演出ユニット着脱部を前方からは取り外し不能となるように構成することは当業者が適宜なし得たものである。
　ア−ウのとおりであるから、審判請求人の主張は採用できない。
　（６）小括
　本願補正発明の作用効果は、刊行物１の発明及び刊行物２記載の事項、周知技術１に基づき当業者が予測できる範囲のものにすぎない。 
　したがって、本願補正発明は、刊行物１の発明及び刊行物２記載の事項並びに周知技術１に基づき当業者が容易にすることができたものであるから、特許法第２９条第２項の規定により特許出願の際独立して特許を受けることができないものである。
　４．むすび
　よって、本件補正は、特許法第１７条の２第６項において準用する同法第１２６条第７項の規定に違反するので、同法第１５９条第１項において読み替えて準用する同法第５３条第１項の規定により却下すべきものである。 
　第３　本願発明について  
　１．本願発明
　本件補正は上記のとおり却下されたので、本願の請求項１、２に係る発明は、平成２７年６月２２日付けの手続補正書により補正された、特許請求の範囲の請求項１、２に記載された事項により特定されるところ、その請求項１に係る発明（以下、「本願発明」という）は、上記第２の１において記載した次のとおりのものである。
「【請求項１】
　遊技領域を視認可能にする透明部材を保持するとともに本体枠に対して開閉可能な透明部材保持枠が、前面側に設けられたパチンコ遊技機であって、
　前記透明部材保持枠の前面側には、遊技球を貯留する受け皿部が前記遊技領域の下方に設けられるとともに、前記遊技領域と前記受け皿部とを囲繞するように略連続的に装飾部が設けられ、
　前記装飾部の前壁部が複数の前壁構成部材から構成されて、前記複数の前壁構成部材の全部又は一部が、前記透明部材保持枠に対して前方から開閉又は着脱可能に構成され、
　前記開閉又は着脱可能に構成された前記前壁構成部材で覆われた前記装飾部の内部に、装飾体が着脱可能に配置され、
　前記装飾体は、前記装飾部の内部に設けられたコネクタ部に着脱可能に接続されることにより給電されることを特徴とするパチンコ遊技機。」
　２．拒絶理由通知の概要
　平成２７年４月２８日付け拒絶理由通知は、本願発明は、上記刊行物１である特開２００３−０５２８９３号公報に示された刊行物１記載の発明、上記刊行物２である特開２００６−２９５５８６号公報に示された刊行物２記載の事項、上記刊行物３である特開２００６−１４９８０号公報に例示される周知技術に基づき当業者が容易にすることができたものであって、特許法第２９条第２項の規定により特許を受けることができないというものである。
　３．刊行物及び刊行物の発明
　刊行物１の発明、刊行物２記載の事項及び周知技術１の認定は前記「第２　平成２８年６月２９日付けの手続補正についての補正却下の決定」の「３．独立特許要件」に記載したとおりである。 
　４．対比・判断
　本願発明は、前記「第２　平成２８年６月２９日付けの手続補正についての補正却下の決定」の「１．本件補正発明の概要」で検討した本件補正発明から、「装飾部」の構成を、「前方開口部が開閉又は着脱可能に構成された前記前壁構成部材で覆われる収容部を有」するとの限定、該「収容部の内部」に「装飾体が着脱可能に配置され」るとの限定、さらに、「コネクタ部」を「前記収容部の内部に設けられた」との限定、「前記収容部は、前記透明部材保持枠の前方からは取り外し不能とされている」との限定を付加した部分を削除したものである。
　そうすると，本願発明の構成要件をすべて含み，さらに他の限定を付加したものに相当する本件補正発明が，前記第２に記載したとおり，刊行物１の発明、刊行物２の記載事項及び周知技術１にに基づき当業者が容易に発明をすることができたものであるから，本願発明も同様の理由により，当業者が容易に発明をすることができたものである。
　５．むすび 
　以上のとおり，本願発明は，刊行物１の発明、刊行物２の記載事項及び周知技術１に基づいて，当業者が容易に発明をすることができたものであるから，特許法２９条２項の規定により特許を受けることができない。  
　したがって，その余の請求項について検討するまでもなく、本願は拒絶されるべきものである。  
　よって，結論のとおり審決する。